(57)【特許請求の範囲】
【請求項１】
コンテンツ出力手段を備えた携帯端末装置であって、
前記コンテンツ出力手段に出力するための複数のコンテンツを記憶するコンテンツ記憶手段と、
前記携帯端末装置の使用可能状態を検出する状態検出手段と、
前記使用可能状態検出手段により当該携帯端末装置が使用可能状態であることが検出された場合、前記コンテンツ記憶手段に記憶されているコンテンツを読み出してコンテンツ出力手段に出力させる出力制御手段と、
前記コンテンツ記憶手段に記憶するコンテンツを取得するコンテンツ取得手段と、
を備え、
前記コンテンツ取得手段は、使用可能状態検出手段により当該携帯端末装置が使用可能状態であることが検出され、かつ、予め定められた所定のイベントを制御部が検出する毎にサーバに接続して前記サーバ上に存在するコンテンツをダウンロードすることを特徴とする携帯端末装置。
【請求項２】
前記使用可能状態検出手段により前記携帯端末装置が使用可能状態であることが検出された回数をカウントするカウント手段を備え、
前記コンテンツ取得手段は、前記カウント手段によりカウントされた回数が所定の回数に達したときを前記所定のイベントとしてダウンロードを行うことを特徴とする請求項１に記載の携帯端末装置。
【請求項３】
前記コンテンツ記憶手段に記憶された複数のコンテンツのうち前記コンテンツ出力手段にて出力されたコンテンツの割合を算出する算出手段を備え、
前記コンテンツ取得手段は、前記算出手段により算出された割合が所定の割合に達したときを前記所定のイベントとしてダウンロードを行うことを特徴とする請求項１に記載の携帯端末装置。
【請求項４】
前記コンテンツ取得手段によって取得されたコンテンツによって前記コンテンツ記憶手
段に記憶されているコンテンツを更新するコンテンツ更新手段と、
前記コンテンツ記憶手段に記憶されたコンテンツのうち、前記コンテンツ更新手段によって更新されるコンテンツと更新されないコンテンツを選択するコンテンツ選択手段と、を備えたことを特徴とする請求項１ないし請求項３の何れか１項に記載の携帯端末装置。
【請求項５】
コンテンツ出力手段と、前記コンテンツ出力手段に出力するための複数のコンテンツを記憶するコンテンツ記憶手段と、を備えた携帯端末装置におけるコンテンツダウンロード方法において、
前記携帯端末装置の使用可能状態を検出する状態検出工程と、
前記使用可能状態検出工程により当該携帯端末装置が使用可能状態であることが検出された場合、前記コンテンツ記憶手段に記憶されているコンテンツを読み出してコンテンツ出力手段に出力させる出力工程と、
使用可能状態検出手段により当該携帯端末装置が使用可能状態であることが検出され、かつ、予め定められた所定のイベントを制御部が検出する毎にサーバに接続して前記サーバ上に存在するコンテンツをダウンロードするコンテンツ取得工程と、
を含むことを特徴とするコンテンツダウンロード方法。
【請求項６】
前記使用可能状態検出工程により前記携帯端末装置が使用可能状態であることが検出された回数をカウントするカウント工程を含み、
前記コンテンツ取得工程は、前記カウント工程によりカウントされた回数が所定の回数に達したときを前記所定のイベントとしてダウンロードを行うことを特徴とする請求項５に記載のコンテンツダウンロード方法。
【請求項７】
前記コンテンツ記憶手段に記憶された複数のコンテンツのうち前記コンテンツ出力手段にて出力されたコンテンツの割合を算出する算出工程を含み、
前記コンテンツ取得工程は、前記算出工程により算出された割合が所定の割合に達したときを前記所定のイベントとしてダウンロードを行うことを特徴とする請求項５に記載のコンテンツダウンロード方法。
【請求項８】
前記コンテンツ取得工程によって取得されたコンテンツによって前記コンテンツ記憶手段に記憶されているコンテンツを更新するコンテンツ更新工程と、
前記コンテンツ記憶手段に記憶されたコンテンツのうち、前記コンテンツ更新工程によって更新されるコンテンツと更新されないコンテンツを選択するコンテンツ選択工程と、を含むことを特徴とする請求項５ないし請求項７の何れか１項に記載のコンテンツダウンロード方法。
【発明の詳細な説明】
【技術分野】
【０００１】
本発明は、ダウンロードしたコンテンツをディスプレイなどに出力することができる携帯端末装置に関するものであり、特に、ディスプレイなどに出力するコンテンツを容易にダウンロードできるようにした携帯端末装置およびそのコンテンツダウンロード方法に関するものである。
【背景技術】
【０００２】
近年、多くの携帯電話機にカラーディスプレイが搭載されるようになり、このようなディスプレイには文字データ以外に画像データを表示することができるものがほとんどである。このため、携帯電話機内にプリセットされた画像データをディスプレイの待ち受け画面として設定できるようになっている。
【０００３】
さらに、携帯電話機のユーザは、ネットワークに接続されたサーバにアクセスし、自分の好みの画像データをダウンロードして、この画像データをディスプレイの待ち受け画面として設定することも可能である。
【０００４】
このように、ネットワーク上のサーバから自由に画像データをダウンロードできるようになると、ユーザがダウンロードされた複数の画像データの中から待ち受け画面として表示する画像データを自分の好みの画像データに切り替えたい場合には、そのたびに携帯電話機内にダウンロードされている画像データを表示し、切り替えたい画像データを選択する操作が必要となり、ユーザにとっては煩わしいものとなっている。
【０００５】
このため、待ち受け画面としてディスプレイに表示する画像データを容易に切り替えることができる携帯電話機が様々に提案されている。例えば、下記の特許文献１（特開２００４−７４８８号公報）には、記憶部に蓄積した画像データを待受画面として表示部に表示することができる折畳型携帯通信端末において極めて容易に待受画面を変更することができる技術が開示されている。
【０００６】
この特許文献１に開示された技術は、複数の画像データを記憶可能な記憶部と、折畳状態からオープン状態への変化もしくはオープン状態から折畳状態への変化を検出する開閉検出手段とを有する折畳型携帯通信端末において、開閉検出手段が折畳状態からオープン状態への変化もしくはオープン状態から折畳状態への変化を検出した場合に、記憶部に記憶されている複数の画面データのうち一つを任意に選択し、表示するように構成されているものである。
【０００７】
このように構成することにより、利用者が電話やメール等の通信をするために折畳型携帯通信端末をオープンの状態にする毎に表示部の表示される画像を変更することができ、極めて容易に待受画面を変更することができる。
【特許文献１】特開２００４−７４８８号公報（段落［０００６］、段落［００４９］）
【発明の開示】
【発明が解決しようとする課題】
【０００８】
ところで、上記の特許文献１の折畳型携帯通信端末においては、記憶部に記憶されている複数の画像データに対するアップデートが行われないため、長期間同じ携帯通信端末を使用することにより、画像データが古くなり、ユーザが飽きてしまうという問題点がある。また、ネットワークに接続されたサーバにアクセスし、自分の好みの画像データを新たにダウンロードするための操作もユーザにとっては煩わしい作業である。
【０００９】
したがって、ディスプレイに表示する画像データなどの表示データを常に新しい状態に保つことができるように、表示データを容易かつ効率良くダウンロードし、ディスプレイに表示する方法の実現が望まれている。
【００１０】
本願の発明者は上記の問題点を解消すべく種々検討を重ねた結果、携帯端末装置に蓄積されているコンテンツへのアクセス頻度に応じた特定のイベント毎に自動的にコンテンツデータをネットワーク上よりダウンロードするようになせば、上記の問題点を解消し得ることを想到し本発明を完成するに至ったものである。
【００１１】
すなわち、本発明は、上記の問題点を解消することを課題とし、所定のイベント毎にサーバに接続してサーバ上に存在するコンテンツをダウンロードするようにした携帯端末装置を提供することを目的とするものである。
【課題を解決するための手段】
【００１２】
前記課題を解決するために、本願の請求項１にかかる発明は、コンテンツ出力手段（例えば下記実施例では、ディスプレイ４２や第２スピーカ３４に相当する）を備えた携帯端末装置であって、前記コンテンツ出力手段に出力するための複数のコンテンツを記憶するコンテンツ記憶手段（例えば下記実施例では、ＲＡＭ４０に相当する）と、前記携帯端末装置の使用可能状態を検出する状態検出手段（例えば下記実施例では、開閉検知部５８や入力部４４に相当する）と、前記使用可能状態検出手段により当該携帯端末装置が使用可能状態であることが検出された場合、前記コンテンツ記憶手段に記憶されているコンテンツを読み出してコンテンツ出力手段に出力させる出力制御手段（例えば下記実施例では、
制御回路３６に相当する）と、前記コンテンツ記憶手段に記憶するコンテンツを取得するコンテンツ取得手段（例えば下記実施例では、制御回路３６に相当する）と、を備え、前記コンテンツ取得手段は、前記使用可能状態検出手段により当該携帯端末装置が使用可能状態であることが検出され、かつ、予め定められた所定のイベントを制御部が検出する毎にサーバに接続して前記サーバ上に存在するコンテンツをダウンロードすることを特徴とする。
【００１３】
また、本願の請求項２にかかる発明は、請求項１にかかる携帯端末装置において、前記使用可能状態検出手段により前記携帯端末装置が使用可能状態であることが検出された回数をカウントするカウント手段（例えば下記実施例では、制御回路３６に相当する）を備え、前記コンテンツ取得手段は、前記カウント手段によりカウントされた回数が所定の回数に達したときを前記所定のイベントとしてダウンロードを行うことを特徴とする。
【００１４】
また、本願の請求項３にかかる発明は、請求項１にかかる携帯端末装置において、前記コンテンツ記憶手段に記憶された複数のコンテンツのうち前記コンテンツ出力手段にて出力されたコンテンツの割合を算出する算出手段（例えば下記実施例では、制御回路３６に相当する）を備え、前記コンテンツ取得手段は、前記算出手段により算出された割合が所定の割合に達したときを前記所定のイベントとしてダウンロードを行うことを特徴とする。
【００１５】
また、本願の請求項４にかかる発明は、請求項１ないし請求項３の何れか１項にかかる携帯端末装置において、前記コンテンツ取得手段によって取得されたコンテンツによって前記コンテンツ記憶手段に記憶されているコンテンツを更新するコンテンツ更新手段（例えば下記実施例では、制御回路３６に相当する）と、前記コンテンツ記憶手段に記憶されたコンテンツのうち、前記コンテンツ更新手段によって更新されるコンテンツと更新されないコンテンツを選択するコンテンツ選択手段（例えば下記実施例では、入力部４４に相当する）と、を備えたことを特徴とする。
【００１６】
また、本願の請求項５にかかる発明は、コンテンツ出力手段と、前記コンテンツ出力手段に出力するための複数のコンテンツを記憶するコンテンツ記憶手段と、を備えた携帯端末装置におけるコンテンツダウンロード方法において、前記携帯端末装置の使用可能状態を検出する状態検出工程と、前記使用可能状態検出工程により当該携帯端末装置が使用可能状態であることが検出された場合、前記コンテンツ記憶手段に記憶されているコンテンツを読み出してコンテンツ出力手段に出力させる出力工程と、前記使用可能状態検出手段により当該携帯端末装置が使用可能状態であることが検出され、かつ、予め定められた所定のイベントを制御部が検出する毎にサーバに接続して前記サーバ上に存在するコンテンツをダウンロードするコンテンツ取得工程と、
を含むことを特徴とする。
【００１７】
また、本願の請求項６にかかる発明は、請求項５にかかるコンテンツダウンロード方法において、前記使用可能状態検出工程により前記携帯端末装置が使用可能状態であることが検出された回数をカウントするカウント工程を含み、前記コンテンツ取得工程は、前記カウント工程によりカウントされた回数が所定の回数に達したときを前記所定のイベントとしてダウンロードを行うことを特徴とする。
【００１８】
また、本願の請求項７にかかる発明は、請求項５にかかるコンテンツダウンロード方法において、前記コンテンツ記憶手段に記憶された複数のコンテンツのうち前記コンテンツ出力手段にて出力されたコンテンツの割合を算出する算出工程を含み、前記コンテンツ取得工程は、前記算出工程により算出された割合が所定の割合に達したときを前記所定のイベントとしてダウンロードを行うことを特徴とする。
【００１９】
また、本願の請求項８にかかる発明は、請求項５ないし請求項７の何れか１項にかかるコンテンツダウンロード方法において、前記コンテンツ取得工程によって取得されたコンテンツによって前記コンテンツ記憶手段に記憶されているコンテンツを更新するコンテンツ更新工程と、前記コンテンツ記憶手段に記憶されたコンテンツのうち、前記コンテンツ更新工程によって更新されるコンテンツと更新されないコンテンツを選択するコンテンツ選択工程と、を含むことを特徴とする。
【発明の効果】
【００２０】
請求項１、請求項５にかかる発明においては、携帯端末装置は、装置の使用可能状態を検出する使用可能状態検出手段により当該携帯端末装置が使用可能状態であることが検出された場合、コンテンツ出力手段に出力するための複数のコンテンツを記憶するコンテンツ記憶手段に記憶されているコンテンツを読み出してコンテンツ出力手段に出力させ、また、使用可能状態検出手段により当該携帯端末装置が使用可能状態であることが検出され、かつ、予め定められた所定のイベントを制御部が検出する毎にサーバに接続してサーバ上に存在するコンテンツをダウンロードしてコンテンツ記憶手段に記憶する。
【００２１】
このような構成によれば、所定のイベント毎に自動的にコンテンツのダウンロードが開始されるので、携帯端末装置はコンテンツ記憶手段に記憶しているコンテンツを常に新しい状態に保つことが可能である。このため、ユーザにとって飽きのこない有意義なコンテンツを提供することができる。また、ユーザはコンテンツをダウンロードするために必要な煩雑な操作を回避できるので、ユーザにとっての利便性が向上する。
【００２２】
また、請求項２、請求項６にかかる発明のおいては、請求項１にかかる携帯端末装置、または、請求項５にかかるコンテンツダウンロード方法において、携帯端末装置が使用可能状態であることが検出された回数をカウントするカウント手段によりカウントされた回数が所定の回数に達したときを所定のイベントとしてダウンロードを行う。
【００２３】
このような構成によれば、例えば、フリップオープン型の携帯端末装置では１０００回フリップオープンすれば自動的にコンテンツのダウンロードが開始されるので、携帯端末装置はコンテンツ記憶手段に記憶しているコンテンツを常に新しい状態に保つことが可能である。このため、ユーザにとって飽きのこない有意義なコンテンツを提供することができる。また、ユーザはコンテンツをダウンロードするために必要な煩雑な操作を回避できるので、ユーザにとっての利便性が向上する。
【００２４】
また、請求項３、請求項７にかかる発明のおいては、請求項１にかかる携帯端末装置、または、請求項５にかかるコンテンツダウンロード方法において、コンテンツ記憶手段に記憶された複数のコンテンツのうちコンテンツ出力手段にて出力されたコンテンツの割合を算出する算出手段により算出された割合が所定の割合に達したときを所定のイベントとしてダウンロードを行う。
【００２５】
このような構成によれば、例えば、コンテンツ記憶手段に記憶されている１０００個のコンテンツのうち９００個のコンテンツを出力すれば自動的にコンテンツのダウンロードが開始されるので、携帯端末装置はコンテンツ記憶手段に記憶しているコンテンツを常に新しい状態に保つことが可能である。このため、ユーザにとって飽きのこない有意義なコンテンツを提供することができる。また、ユーザはコンテンツをダウンロードするために必要な煩雑な操作を回避できるので、ユーザにとっての利便性が向上する。
【００２６】
また、請求項４、請求項８にかかる発明のおいては、請求項１ないし請求項３の何れか１項にかかる携帯端末装置、または、請求項５ないし請求項７の何れか１項にかかるコンテンツダウンロード方法において、取得されたコンテンツによってコンテンツ記憶手段に記憶されているコンテンツを更新し、また、コンテンツ記憶手段に記憶されたコンテンツのうち、更新されるコンテンツと更新されないコンテンツを選択する。
【００２７】
このような構成によれば、携帯端末装置はコンテンツ記憶手段に記憶しているコンテンツを常に新しい状態に保つことが可能であり、ユーザにとって飽きのこない有意義なコンテンツを提供することができるとともに、出力されたコンテンツのうち、ユーザが気にいったコンテンツは新たにダウンロードされたコンテンツによって更新されずに残るため、再度出力させることができるので、ユーザにとっての利便性が向上する。
【発明を実施するための最良の形態】
【００２８】
以下、本発明の具体例を実施例及び図面を用いて詳細に説明する。但し、以下に示す実施例は、本発明の技術思想を具体化するための携帯電話機を例示するものであって、本発明をこの携帯電話機に特定することを意図するものではなく、特許請求の範囲に含まれるその他の実施形態の携帯端末装置にも等しく適用し得るものである。
【実施例】
【００２９】
図１は、本実施例におけるダウンロードシステムの全体概略図である。ダウンロードシステム１は、ユーザが所持する携帯電話機１０、コンテンツデータを提供するコンテンツサーバ１１、コンテンツサーバ１１にそれぞれ接続される画像データベース１１１、文字データベース１１２、音楽データベース１１３を備えており、それぞれネットワーク１３を介して接続された構成をなしている。
【００３０】
画像データベース１１１には、コンテンツデータとして携帯電話機１０にダウンロードされて待ち受け画面などとして利用される静止画像データや動画像データが蓄積されている。文字データベース１１２には、コンテンツデータとして携帯電話機１０にダウンロードされて電子辞書などとして利用される文字データが蓄積されている。また、音楽データベース１１３には、コンテンツデータとして携帯電話機１０にダウンロードされて着信メロディなどとして利用される楽曲データが蓄積されている。
【００３１】
図２は、本発明の実施例にかかる携帯電話機の斜視図である。
【００３２】
図２に示すように、携帯電話機１０は、マイクロホン３０が配備された操作側筐体１０１の上端部と第１のスピーカ２６が配備された表示側筐体１０２の下端部とがヒンジ機構１０３を介して互いに開閉可能に連結されており、閉じた状態で互いに対向することとなる操作側筐体１０１の表面と表示側筐体１０２の表面にはそれぞれ、入力部４４とディスプレイ４２が配設されている。
【００３３】
また、操作側筐体１０１と表示側筐体１０２の連結部には、表示側筐体１０２の開閉状態を検知する開閉検知部５８が取り付けられている。操作側筐体１０１の上端部には、アンテナ１６が突設されている。
【００３４】
このように、上記実施例の携帯電話機１０は、第１の操作側筐体１０１と第２の表示側筐体１０２とを可動連結部（ヒンジ機構１０３）で連結し、前記２つの筐体の相対位置を閉状態から開状態へあるいは開状態から閉状態へと開閉可能であって、２つの筐体の開閉状態を検出する開閉検知部５８を備えている。
【００３５】
図３は、本発明の実施例にかかる携帯電話機の構成を示すブロック図である。携帯電話機１０は、通信部１２、ベースバンド部１４、アンテナ１６、切替回路２２、増幅回路２４、２８、３２、第１スピーカ２６、マイクロホン３０、第２スピーカ３４、制御回路３６、ＲＯＭ３８、ＲＡＭ４０、ディスプレイ４２、入力部４４、照明部４６、開閉検知部５８などを備えて構成されている。
【００３６】
なお、第２スピーカ３４あるいはディスプレイ４２は本発明のコンテンツ出力手段に相当し、制御回路３６は本発明の出力制御手段、コンテンツ取得手段、カウント手段、算出手段、コンテンツ更新手段に相当し、ＲＡＭ４０は本発明のコンテンツ記憶手段に相当し、入力部４４は本発明の状態検出手段、コンテンツ選択手段に相当し、開閉検知部５８は本発明の状態検出手段に相当する。
【００３７】
また、本実施例は、携帯端末装置として携帯電話機を示すものであるが、これに限定されず、ＰＤＡ（Ｐｅｒｓｏｎａｌ  Ｄｉｇｉｔａｌ  Ａｓｓｉｓｔａｎｔ）、携帯音楽プレーヤや携帯ゲーム機などの携帯型の端末装置であってもよい。
【００３８】
図３に示すように、携帯電話機１０は、アンテナ１６と接続された通信部１２を備えている。この通信部１２は、後述のベースバンド部１４からの信号を、アンテナ１６を介して基地局へ発信し、あるいはアンテナ１６を介して基地局からの電波を受信する。
【００３９】
通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００４０】
ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００４１】
切替回路２２には、増幅回路２８を介してマイクロホン３０が接続されている。このマイクロホン３０は、通話に使用され、音声を電気信号に変換する。マイクロホン３０により入力された電気信号は、増幅回路２８で増幅されてベースバンド部１４に出力される。
【００４２】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信メロディ等の着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００４３】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００４４】
また、通信部１２、ベースバンド部１４、切替回路２２には、制御回路３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。
【００４５】
制御回路３６は、マイクロプロセッサを主たる構成要素とし、ＲＯＭ３８とＲＡＭ４０が接続されており、ＲＯＭ３８に格納されているシステムプログラムに基づき各部を制御する。プログラム実行中に一時的に保持する必要の生じたデータはＲＡＭ４０に保存される。
【００４６】
また、ＲＡＭ４０には、アドレス帳や受信メールだけではなく、ダウンロードされたコンテンツデータを記憶している。ここで、コンテンツデータとは、画像データ、文字データ、音楽データなどを含み、コンテンツデータは、制御回路３６の指示により通信部１２を介してコンテンツデータを提供するコンテンツサーバ１１からダウンロードされ、ＲＡＭ４０に記憶される。
【００４７】
なお、ダウンロードされたコンテンツデータは、ＲＡＭ４０の空き容量に応じて空きスペースに追加されるか、既に登録されているコンテンツに対して上書きされる。
【００４８】
制御回路３６には、入力部４４が接続されている。この入力部４４は、電話番号等の入力を行うテンキー４８と、通話の開始を操作する通話キー５０と、通話の終了を操作する切キー５２と、ＯＫキー５４と、クリアキー５６と、を有している。
【００４９】
ここで、テンキー４８には、０〜９の各数字入力ボタンと、♯ボタンと、＊ボタン（本実施形態では１２個のボタンとなる）とが含まれる。また、全てのテンキー４８の表面と、テンキー４８周辺の筐体表面には、ユーザが接触したことを検知する接触検知センサが設けられている。この接触検知センサは、従来から知られているものであり、例えば、透明電極等が用いられている。携帯電話の筐体とキートップに配置されたこの接触検知センサは、制御回路３６と電気的に接続されている。この為、ユーザが接触検知センサに触れたことを示す信号は制御回路３６へ入力される。
【００５０】
尚、本実施例装置では、接触検知センサを筐体表面に配置しているが、筐体の裏面側やキー４８の裏面側のように筐体内部に配置しても良い。例えば、静電容量検知型の接触検知センサであれば、筐体内部に配置することが可能である。又、キー４８の裏面側一帯に接触検知センサを配置すると、キートップ上に接触検知センサを配置する構成に比べて配線が格段に簡易化される。
【００５１】
また、制御回路３６には、ディスプレイ４２と照明部４６が接続されている。ディスプレイ４２は例えば液晶パネルからなり、制御回路３６の制御により、待ち受け画面、着信メッセージ、電話番号、メールその他の視覚情報を表示する。また、照明部４６は例えばＬＥＤ素子からなる。
【００５２】
また、制御回路３６には、開閉検知部５８が接続されている。この開閉検知部５８は、ユーザによる携帯電話機１０の表示側筐体１０２を開く操作を検知すると、開状態検知信号を制御回路３６に供給する。制御回路３６は、開閉検知部５８からの開状態検知信号に基づいてＲＡＭ４０に記憶されているコンテンツデータを読み出してディスプレイ４２や第２のスピーカ３４から出力させる。
【００５３】
なお、表示側筐体１０２の開状態に応じてディスプレイ４２や第２のスピーカからコンテンツデータを出力する／出力しないの設定は、ディスプレイ４２に表示される設定画面上でユーザが入力部４４の各種キーを操作することによって行われる。また、ディスプレイ４２や第２のスピーカ３４から出力させるコンテンツデータの選択設定も、ディスプレイ４２に表示される設定画面上でユーザが入力部４４の各種キーを操作することによって行われる。具体的には、例えば、表示側筐体１０２を展開する毎にＲＡＭ４０に記憶されている電子辞書データから任意の１単語を読み出してディスプレイ４２に表示するように設定する。
【００５４】
また、制御回路３６は、開閉検知部５８からの開状態検知信号に基づいて表示側筐体１０２の開状態回数をカウントし、そのカウント値に基づいてコンテンツサーバ１１からコンテンツデータをダウンロードする。具体的には、例えば、表示側筐体１０２の展開操作を１０００回行う毎に、コンテンツサーバ１１から電子辞書データとして利用される追加の単語（文字データ）を約２００語単位で新たにダウンロードする。なお、コンテンツデータのダウンロードをする／しないの設定も、ディスプレイ４２に表示される設定画面上でユーザが入力部４４の各種キーを操作することによって行ってもよい。
【００５５】
また、制御回路３６は、開閉検知部５８からの開状態検知信号に基づいてＲＡＭ４０に記憶されているコンテンツデータを読み出してディスプレイ４２や第２のスピーカ３４から出力させるが、ＲＡＭ４０に記憶されているコンテンツデータの総数のうちディスプレイ４２や第２のスピーカ３４から出力するために読み出されたコンテンツデータ数の割合に基づいてコンテンツサーバ１１からコンテンツデータをダウンロードしてもよい。
【００５６】
具体的には、例えば、ＲＡＭ４０に予め１０００語の単語が電子辞書データとして記憶されている場合に、表示側筐体１０２の展開操作を続けることによりその内の９００語の単語が読み出されてディスプレイ４２に表示されると、コンテンツサーバ１１から電子辞書データとして利用される追加の単語（文字データ）を約２００語単位で新たにダウンロードする。
【００５７】
さらに、制御回路３６は、コンテンツサーバ１１から新たにダウンロードしたコンテンツデータによって既にＲＡＭ４０に記憶されているコンテンツデータを更新する。具体的には、例えば、ＲＡＭ４０内に割り当てられている電子辞書データの記憶可能容量が１０００語とすると、ＲＡＭ４０に既に記憶されている単語数が１０００語未満の８００語の場合には、追加の単語として新たに２００語をダウンロードすると、その空き領域に記憶されることになる。
【００５８】
一方、ＲＡＭ４０に既に１０００語の単語が記憶されている場合には、追加の単語として新たに２００語をダウンロードすると、この記憶されている１０００単語の中から既に表示された単語を対象として、またはダウンロードされた時期が古い単語を対象として、あるいはランダムに選ばれた単語を対象として２００単語が上書きされることになる。
【００５９】
ここで、自動的に任意のコンテンツデータが上書きされて消去されてしまうと、後から再度このコンテンツデータを視聴することができない不都合が生じる。このため、新たなコンテンツデータのダウンロードによって更新処理が行われても上書きされずにＲＡＭ４０に残るように、残しておきたいコンテンツデータに対して更新禁止フラグを設け、表示側筐体１０２の展開操作の際に出力されたコンテンツデータで、ユーザが気になったデータについては、入力部４４に設けられた所定キー、例えば、ＯＫキー５４を押下することで、制御回路３６は、そのコンテンツデータに対する更新禁止フラグをＯＮにする。
【００６０】
このように制御すれば、制御回路３６は、コンテンツサーバ１１から新たにダウンロードしたコンテンツデータによって既にＲＡＭ４０に記憶されているコンテンツデータを更新する際に、更新禁止フラグがＯＮになっているコンテンツデータを更新対象から除外することができる。
【００６１】
次に、本発明にかかる携帯電話機のダウンロード動作について説明する。
【００６２】
図４は、本実施例にかかる携帯電話機の動作を示すフローチャートである。
【００６３】
なお、図４に示す動作は制御回路３６に接続されたＲＯＭ４０に記憶されている制御プログラムを実行することで実現される。
【００６４】
図４のフローチャートにおいて、ステップＳ４００において、制御回路３６が開閉検知部５８を制御することにより、開閉検知部５８が表示側筐体１０２の開状態を検出し、制御回路３６がこの検出結果に基づいて表示側筐体１０２が開かれたか否か判定し、表示側筐体１０２が開かれた場合にはステップＳ４０１に進み、一方、表示側筐体１０２が開かれない場合にはステップＳ４００の処理に戻る。
【００６５】
そして、ステップＳ４０１において、制御回路３６は、開状態回数のカウンタ値を更新するとともに、ＲＡＭ４０に記憶されている電子辞書データから任意の１単語を読み出してディスプレイ４２に表示する。
【００６６】
ステップＳ４０２において、制御回路３６は、カウンタ値が、所定回数の例えば１０００回を超えたか否か判定し、所定回数以上の場合にはステップＳ４０３に進み、一方、所定回数未満の場合にはステップＳ４００の処理に戻る。
【００６７】
そして、ステップＳ４０３において、制御回路３６は、コンテンツサーバ１１から電子辞書データとして利用される追加の単語（文字データ）を新たにダウンロードするか否か判定し、ダウンロードする場合にはステップＳ４０４に進み、一方、ダウンロードしない場合には処理を終了する。
【００６８】
ステップＳ４０４において、制御回路３６は、コンテンツサーバ１１から電子辞書データとして利用される追加の単語（文字データ）を新たにダウンロードし、ステップＳ４０５において、ダウンロードされた追加の単語はＲＡＭ４０に記憶されて処理を終了する。
【００６９】
以上説明したように本発明にかかる携帯端末装置によれば、装置の使用可能状態を検出する使用可能状態検出手段により当該携帯端末装置が使用可能状態であることが検出された場合、コンテンツ出力手段に出力するための複数のコンテンツを記憶するコンテンツ記憶手段に記憶されているコンテンツを読み出してコンテンツ出力手段に出力させ、また、所定のイベント毎にサーバに接続してサーバ上に存在するコンテンツをダウンロードしてコンテンツ記憶手段に記憶するので、携帯端末装置はコンテンツ記憶手段に記憶しているコンテンツを常に新しい状態に保つことが可能である。このため、ユーザにとって飽きのこない有意義なコンテンツを提供することができる。また、ユーザはコンテンツをダウンロードするために必要な煩雑な操作を回避できるので、ユーザにとっての利便性が向上する。
【００７０】
なお、上記実施例では、携帯電話機として折り畳み型携帯電話機について説明したが、携帯電話機はこれに限ることなく、ヒンジ機構により２つの筐体が回動・開閉自在に結合された形態の携帯端末装置に適用することも可能である。例えば、スライド型の携帯電話機であっても本発明は同様に適用可能である。
【００７１】
また、上記実施例では、ヒンジ機構により２つの筐体が回動・開閉自在に結合された形態の携帯端末装置において、２つの筐体の相対位置が開状態であることが検出された場合に携帯端末装置が使用可能状態にあると判断したが、これに限ることはなく、携帯端末装置の入力部に設けられた所定のキーが押下されることにより、携帯端末装置の電源がオンされたり、携帯端末装置がスリープ状態から動作状態に切り替わったりした場合に携帯端末装置が使用可能状態にあると判断してもよい。この場合、折り畳み型やスライド型の携帯端末装置に限らず、ストレート型の携帯端末装置であっても本発明は同様に適用可能である。
【図面の簡単な説明】
【００７２】
【図１】本実施例におけるダウンロードシステムの全体概略図である。
【図２】本発明の実施例にかかる携帯電話機の斜視図である。
【図３】本発明の実施例にかかる携帯電話機の構成を示すブロック図である。
【図４】本発明の実施例にかかる携帯電話機の動作を示すフローチャートである。
【符号の説明】
【００７３】
１０・・・・携帯電話機
１１・・・・コンテンツサーバ
１３・・・・ネットワーク
１４・・・・バースバンド部
１６・・・・アンテナ
１８・・・・ＣＤＭＡ処理回路
２０・・・・音声コーデック
２２・・・・切替回路
２４、２８、３２・・・・増幅回路
２６・・・・第１スピーカ
３０・・・・マイクロホン
３４・・・・第２スピーカ
３６・・・・制御回路
３８・・・・ＲＯＭ
４０・・・・ＲＡＭ
４２・・・・ディスプレイ
４４・・・・入力部
４６・・・・照明部
５８・・・・開閉検知部
１０１・・・・操作側筐体
１０２・・・・表示側筐体
１０３・・・・ヒンジ機構
１１１・・・・画像データベース
１１２・・・・文字データベース
１１３・・・・音楽データベース
【図１】
0005063281.tif 000002
【図２】
0005063281.tif 000003
【図３】
0005063281.tif 000004
【図４】
0005063281.tif 000005